(57)【要約】【課題】  パターン又は画像を複数整列させたシートを短時間で切断できる切断方法やその切断装置を提供する。【解決手段】    パターン又は画像を複数整列させたシート３０を外周が丸い略円筒形状のドラム４１の外周面に巻き付けて固定し、前記ドラム４１を回転させながら複数の第１のカッター５３で前記シート３０を短冊状のシートに切断し、次に、前記ドラム４１を一定角度回転して静止させ、静止状態になったときに第２のカッター６３で短冊状のシートを横に切断し、この回転、静止、切断を必要回数繰り返して個々のパターン画像シートに切断する。一回の切断で複数の短冊状のシートが得られ、また、ドラム４１に巻き付けた状態で個々のパターン画像シートが得られるので短時間で切断できる。【選択図】        図２
2005131717.tif 000002
【特許請求の範囲】
【請求項１】
パターン又は画像を複数整列させたシートを略円筒形状の回転体の外周面に巻き付けて固定し、前記回転体を回転させながら複数の第１のカッターで前記シートを一度に短冊状に切断することを特徴とするパターン又は画像を複数整列させたシートの切断方法。
【請求項２】
パターン又は画像を複数整列させたシートを略円筒形状の回転体の外周面に巻き付けて固定し、前記回転体を回転させながら複数の第１のカッターで前記シートを短冊状のシートに切断し、次に、前記回転体を一定角度回転して静止させ、静止状態になったときに第２のカッターで短冊状のシートを横に切断し、この回転、静止、切断を必要回数繰り返して個々のパターン又は画像シートに切断することを特徴とするパターン又は画像を複数整列させたシートの切断方法。
【請求項３】
前記第１のカッターは、シートとの接触切刃部位が移動できるようになっていることを特徴とする請求項１又は２に記載のパターン又は画像を複数整列させたシートの切断方法。
【請求項４】
前記パターン又は画像を複数整列させたシートの裏面にカッターマットを貼付けたことを特徴とする請求項１又は２に記載のパターン又は画像を複数整列させたシートの切断方法。
【請求項５】
前記略円筒形状の回転体の外周面にカッターマットを貼付けたことを特徴とする請求項１又は２に記載のパターン又は画像を複数整列させたシートの切断方法。
【請求項６】
前記略円筒形状の回転体の外周面に前記パターン又は画像を複数整列させたシートを巻き付けて固定する方法は、負圧吸着によって固定することを特徴とする請求項１又は２に記載のパターン又は画像を複数整列させたシートの切断方法。
【請求項７】
略円筒形状の回転体を有する回転装置と、該回転装置の回転体にパターン又は画像を複数整列させたシートを巻き付けて固定する固定装置と、前記回転装置の回転体の近くにあって第１のカッターを複数取付けた第１の切断装置と、を有することを特徴とするパターン又は画像を複数整列させたシートの切断装置。
【請求項８】
略円筒形状の回転体を有する回転装置と、該回転装置の回転体にパターン又は画像を複数整列させたシートを巻き付けて固定する固定装置と、前記回転装置の回転体の近くにあって第１のカッターを複数取付けた第１の切断装置と、前記回転装置の回転体の近くにあって第２のカッターを取付けた第２の切断装置と、を有することを特徴とするパターン又は画像を複数整列させたシートの切断装置。
【請求項９】
前記第１のカッターを複数取付けた第１の切断装置で、前記第１のカッターは、シートとの接触切刃部位が移動できるようになっていることを特徴とする請求項７又は８に記載のパターン又は画像を複数整列させたシートの切断装置。
【請求項１０】
前記回転装置の略円筒形状の回転体の外周面にカッターマットを貼付けたことを特徴とする請求項７又は８に記載のパターン又は画像を複数整列させたシートの切断装置。
【請求項１１】
前記固定装置は負圧吸着によって固定する固定装置であることを特徴とする請求項７又は８に記載のパターン又は画像を複数整列させたシートの切断装置。
【発明の詳細な説明】
【技術分野】
【０００１】
本発明は、平面的なパターン又は画像を複数整列させたシートの切断方法、並びにその切断装置に関する。
【背景技術】
【０００２】
比較的サイズの小さい平面的なパターンや画像を持つ部品並びに製品を多数製造する方法の一つに、大判のサイズのものに縦・横複数整列させて製作し、それを後で、縦方向並びに横方向に切断して単個にするやり方を取るものが比較的多い。例えば、時計に用いられるソーラセル（太陽電池）、エレクトロルミネッセンスなどはそのような方式の製造方法を取っている。また、写真なども同じ方法を取っている。
【０００３】
図６は、パターン画像を複数整列されたシートの切断方法を示す説明図を示している。図６より、大判のシートの中にパターンを形成した画像２１が複数、図中では、縦方向にはＡ１、Ａ２、Ａ３、Ａ４と４列、横方向にはａ１、ａ２、ａ３、ａ４と４行、整列した状態で配置されている。２２、２３の一点鎖線は切断線を示しており、２２は横方向の切断線、２３は縦方向の切断線を示している。先ず最初に、横方向の切断線２２の所で切断してパターン画像２１が横方向に並んでいる短冊を作る。図の下では４つの短冊ができる。次に、この短冊を縦方向にそれぞれ切断して、パターン画像２１のシートを一個一個に分離する。これは、最初に横方向に切断してパターン画像２１が横方向に並んだ短冊を作っても良いし、最初に縦方向に切断してパターン画像２１が縦方向に並んだ短冊を作っても良いものである。
【０００４】
ここで、パターン画像を複数整列させた大判のシートを切断して一個一個のパターン画像シートを作る方法の一つに、下記の特許文献１に開示された技術がある。
【０００５】
【特許文献１】特開２００３−２００３８６号公報、
【０００６】
図７〜９は上記の特許文献１に示されたもので、図７は複数の写真プリントを含む単一のシートから個々のプリントを切断する切断装置の概略平面図を示し、図８は単一シートの第１列目を切断した段階を示す概略平面図、図９は単一シートの第１列目の第１個目を切断した段階を示す概略平面図を示したものである。尚ここでは、概要を説明するに必要な部分のみを取り上げて符号を付してある。
【０００７】
上記特許文献１に示された切断装置１０は、単一のシート１に整列した複数の写真プリント１ａを一個一個に切断するものである。ここでのシート１は写真プリント１ａが縦３列（Ａ、Ｂ、Ｃ）、横３行での合計９個の写真プリント１ａが示されていて、シート１の右端部には基準マーク１ｂ、上端部には基準マーク１ｃが形成されている。このシート１はキャリア８の上に載置されている。また、この載置されたシート１の横には第１のカッター機構５があり、それに連なって移送テーブル２が配置されている。また、図中移送テーブル２の上方には、移送テーブル２と連なって第２のカッター機構６が配置されている。また、図示はしていないが、制御装置やセンサーなどが設けられている。
【０００８】
キャリア８は図中矢印の方向に動くようになっており、これにより載置されたシート１は第１のカッター機構５に向かって移動するようになっている。第１のカッター機構５内にはナイフ（図中省略）が収納されており、このナイフがＹ方向に動いてシート１をＹ方向、即ち、縦方向に切断できるようになっている。この第１のカッター機構５は、図に示すように、シート１をＹ方向、即ち、縦方向に切断して短冊のシートを作る働きをする。また、移送テーブル２には、図に示すように、Ｘ方向に回転する第１のローラ３が横方向に２列になって設けられていて、第１のカッター機構５で切断された短冊のシートを移送テーブル２の入口端２ａから入ってＸ方向に向けて反対端２ｂにまで移送する働きをする。また、移送テーブル２にはＹ方向に回転する第２のローラ４が図中２個設けられており、図９に示すように、切断された短冊のシートをＹ方向に向かって移送し、第２のカッター機構６に供給する働きをする。第２のカッター機構６は、図９に示すように、第１のカッター機構５と同じ構成をなしており、収納されているナイフがＸ方向に動いて、短冊のシートを横方向に切断して一個一個の写真プリントを作る働きをする。
【０００９】
ここで、上記切断装置１０における単一のシート１を切断して個々の写真プリント1ａを作るまでの流れを簡単に説明する。先ず最初に制御装置が働いてキャリア８を動かし、シート１を第１のカッター機構５に向かって移動させる。第１のカッター機構５の入り口付近にセンサーが設けられており、そのセンサーが基準マーク１ｂを捕らまえるとシート１を第１カッター機構５内に引き込み、所定の位置で停止させて第１のカッター機構５に設けたナイフでＹ方向の切断を行う。最初に基準マーク１ｂ部分を切断し、第１のカッター機構５の下方に配設した塵収集器に落とし入れ、次に、シート１を移動させてシート１のＣ列目を短冊状に切断する。切断されたＣ列の短冊シートは第１のカッター機構５から搬出されて移送テーブル２に移動し、更に、回転する第１のローラ３によって移送テーブル２の反対部２ｂの所まで移動する。この反対部２ｂの所にはセンサーが設けられており、短冊シートの端部を捕らえたときに第１のローラ３が停止し、短冊シートが停止する。次に、第２のローラ４が駆動して短冊シートを第２のカッター機構６へと向かわせる。第２のカッター機構６の入り口付近には、第１のカッター機構と同様に、センサーが配設されており、センサーが短冊シートの基準マーク１ｃを捕らえると短冊シートを第２のカッター機構６内に引き込まれて所定の位置に停止し、第２のカッター機構６に設けたナイフでＸ方向の切断を行い、最初に基準マーク１ｃの部分を切断し、更に、短冊のシートを送り込んで切断し、一個の写真プリントに分離する。また、図示はしていないが、移送テーブル２上にはローラを取り付けた付加部材装置が設けられていて、移送テーブル２上で短冊シートを移動するのに第１のローラ３と付加部材装置のローラとで短冊シートを狭持して、或いは、第２のローラ４と付加部材装置のローラとで短冊シートを狭持して移動させる構成を取っている。
【発明の開示】
【発明が解決しようとする課題】
【００１０】
上記の切断装置は、先ず短冊状にシートを第１のカッター機構で切断し、その短冊状のシートを移送テーブルでもって別の場所に移動し、そして、第２のカッター機構で一個一個に切断して個々の写真プリントを作っている。
【００１１】
従って、この切断装置は移送テーブルなどを配置するスペースも必要となるので広いスペースを必要とする。また、装置自体も大がかりのものとなり、装置費用も高額となる。また、短冊状に一組一組切断したり、一個一個に切断しているので繰り返し作業が多くなって、切断コストも高くなる。また、切断はナイフで行うが、一組のナイフで、しかも、ナイフの同一切刃部分で何回も切断を行うので摩耗も早くなり、ナイフの研磨回数も多くなる。
【００１２】
本発明は、上記課題に鑑みて成されたもので、比較的短時間で切断できて、カッターの研磨回数を少なくし、安いコストで切断できるようにすることを目的にしたものである。
【課題を解決するための手段】
【００１３】
この目的を達成する手段として、本発明の請求項１に記載の発明は、パターン又は画像を複数整列させたシートを略円筒形状の回転体の外周面に巻き付けて固定し、回転体を回転させながら複数の第１のカッターでシートを一度に短冊状に切断することを特徴とするものである。
【００１４】
また、本発明の請求項２に記載の発明は、パターン又は画像を複数整列させたシートを略円筒形状の回転体の外周面に巻き付けて固定し、回転体を回転させながら複数の第１のカッターで前記シートを短冊状のシートに切断し、次に、回転体を一定角度回転して静止させ、静止状態になったときに第２のカッターで短冊状のシートを横に切断し、この回転、静止、切断を必要回数繰り返して個々のパターン又は画像シートに切断することを特徴とするものである。
【００１５】
また、本発明の請求項３に記載の発明は、前記の第１のカッターは、シートとの接触切刃部位が移動できるようになっていることを特徴とするものである。
【００１６】
また、本発明の請求項４に記載の発明は、前記のパターン又は画像を複数整列させたシートの裏面にカッターマットを貼付けたことを特徴とするものである。
【００１７】
また、本発明の請求項５に記載の発明は、前記略円筒形状の回転体の外周面にカッターマットを貼付けたことを特徴とするものである。
【００１８】
また、本発明の請求項６に記載の発明は、前記略円筒形状の回転体の外周面に前記パターン又は画像を複数整列させたシートを巻き付けて固定する方法は、負圧吸着によって固定する方法であることを特徴とするものである。
【００１９】
また、本発明の請求項７に記載の発明は、切断装置が、略円筒形状の回転体を有する回転装置と、該回転装置の回転体にパターン又は画像を複数整列させたシートを巻き付けて固定する固定装置と、前記回転装置の回転体の近くにあって第１のカッターを複数取付けた第１の切断装置と、を有することを特徴とするものである。
【００２０】
また、本発明の請求項８に記載の発明は、切断装置が、略円筒形状の回転体を有する回転装置と、該回転装置の回転体にパターン又は画像を複数整列させたシートを巻き付けて固定する固定装置と、前記回転装置の回転体の近くにあって第１のカッターを複数取付けた第１の切断装置と、前記回転装置の回転体の近くにあって第２のカッターを取付けた第２の切断装置と、を有することを特徴とするものである。
【００２１】
また、本発明の請求項９に記載の発明は、前記の第１のカッターを複数取付けた第１の切断装置で、第１のカッターは、シートとの接触切刃部位が移動できるようになっていることを特徴とするものである。
【００２２】
また、本発明の請求項１０に記載の発明は、前記の回転装置で、略円筒形状の回転体の外周面にカッターマットを貼付けたことを特徴とするものである。
【００２３】
また、本発明の請求項１１に記載の発明は、前記の固定装置は、負圧吸着によって固定する固定装置であることを特徴とするものである。
【発明の効果】
【００２４】
発明の効果として、請求項１に記載の発明では、複数のカッターを用いて一度に複数の短冊状のシートに切断する。従って、短冊状のシートが一度に得られる。何回もの繰り返しの切断がないので切断時間が短くて済み、切断コストが安くなる。
【００２５】
また、請求項２に記載の発明では、複数の第１のカッターを用いて一度に複数の短冊状のシートに切断する。そして次に、短冊状のシートを回転体に巻き付けた状態で、第２のカッターを用いて個々のパターン画像シートに切断する。その場で、個々のパターン画像シートが得られるので、従来例に見た短冊状のシートを移送すると云うことが不要となり、これも切断コストを安くする効果を生む。また、従来例に見た移送テーブルなども不要となるので広いスペースを必要としない。
【００２６】
また、請求項３に記載の発明では、第１のカッターで平刃を用いたカッターでは、シートを回転させながら切断するので、シートとの切断で接触する切刃部分は非常に狭い。その部分の切刃部分が摩耗して切れ味が悪くなると、カッターを少し移動することによって、切れ味の良い新しい切刃部分の所で切断することができる。従って、使用する切刃部分を少しづつ移動させることによって長期間に渡って使用することができる。そして、全体的に切れ味が悪くなった時点で研磨すれば良い。このことにより、研磨回数も減り、研磨時間が短縮できる。
【００２７】
また、請求項４に記載の発明では、シートの裏面にカッターマットを貼付けることによって、カッターが回転体の外周面に当たらない。回転体の外周面に傷も付かず、また、カッターも長持ちする。
【００２８】
また、請求項５に記載の発明では、回転体の外周面にカッターマットを貼付けることによって、カッターが長持ちする。
【００２９】
また、請求項６に記載の発明では、シートと回転体とを負圧吸着による固定方法を取れば、巻き付けたシートの外周側に切断に障害となるものはなくなる。従って、スムーズに切断作業ができる。
【００３０】
また、請求項７に記載の発明では、第１の切断装置に複数のカッターを取付けて切断し、一度に複数の短冊状のシートを作る。繰り返し切断することがないので切断時間が短縮できる。また、第１の切断装置を回転体の近くに設けているので、比較的狭いスペースの中で切断装置をまとめることができる。  
【００３１】
また、請求項８に記載の発明では、第１の切断装置で一度に複数の短冊状のシートを作る。第２の切断装置で個々のパターン画像シートを作る。回転体に巻き付けた状態で個々のパターン画像シートが得られるので、切断が短時間で済み、切断コストが安くなる。また、比較的狭いスペースの中で切断装置をまとめることができ、省スペース化ができる。    
【００３２】
また、請求項９に記載の発明では、使用する切刃部分を少しづつ移動させることができるので、切刃部分が摩耗して切れ味が悪くなると、カッターを移動して切れ味の良い新しい切刃部分の所で切断することができる。従って、長期間に渡ってカッターを使用することができる。そして、全体的に切れ味が悪くなった時点で研磨すれば良い。このことにより、研磨回数も減り、研磨時間が短縮できる。
【００３３】
また、請求項１０に記載の発明では、回転体の外周面にカッターマットを貼付けることによってカッターが長持ちする。また、カッターマットの取り替えが容易である。
【００３４】
また、請求項１１に記載の発明では、シートと回転体との固定を負圧吸着による固定装置にすれば、巻き付けたシートの外周側に切断に障害となるものはなくなるので、スムーズな切断ができる。
【発明を実施するための最良の形態】
【００３５】
以下、本発明の最良の実施形態を図１〜図５を用いて説明する。図１は、本発明の切断方法を説明するに用いるパターン又は画像（以後パターン画像と略す）を複数整列させたシート、一例として、ＥＬ（エレクトロルミネッセンス）シートの平面図を示したものである。また、図２は本発明の第１実施形態に係るパターン画像を複数整列させたシートの切断方法及びその切断装置の説明図を示している。また、図３は図２におけるカッター取り付け部分の拡大図、図４は図２におけるシートにカッターマットを貼り付けた部分拡大図を示している。また、図５は本発明の第２実施形態に係るパターン画像を複数整列させたシートの切断方法及びその切断装置の説明図を示している。
【００３６】
図１は、パターン画像を複数整列させたシート、一例として、ＥＬシートの平面図を示したものである。図に示すように、大判のＥＬシート３０はＥＬ３１が縦・横整列した状態で複数個（図中では縦４列、横４段の合計１６個）並んで形成されている。ＥＬ３１は、内面に透明電極を設けたプラスチックフイルム（ポリエチレンテレフタレートフイルム）を対向して配置し、その中に絶縁層と発光層を積層する構造を取る。絶縁層や発光層はスクリーン印刷方法で形成するが、複数個を一度に印刷形成できることから、このように大判のシートを使って複数個整列させて形成することが行われている。そして、この大判のＥＬシート３０を縦方向に切断線３３ａを入れて切断し、更に、横方向に切断線３３ｂを入れて切断して単個のＥＬシート３２を作っている。図中では省略してあるが、ＥＬ３１には外側に２本の突出した端子を持っており、その端子から電圧を印加して発光層を発光させる構造を取っている。製品に組み込んで使用する場合は、単個のＥＬシート３２の状態で使用するケースが非常に多い。
【００３７】
次に、図２は本発明の第１実施形態に係るパターン画像を複数整列させたシートの切断方法及びその切断装置を説明する説明図を示したものである。図２より、中央には外周が丸い回転体であるドラム４１を主要構成とする回転装置４０があり、ドラム４１の右側に３枚の第１のカッター５３を備えた第１の切断装置５０があり、左側に１枚の第２のカッター６３を備えた第２の切断装置６０が配設されている。尚、図示はしていないが、これらの装置を関係付けて駆動させる駆動制御装置が設けられている。
【００３８】
回転装置４０のドラム４１は主軸４５に取り付けられており、脚４７によって保持されている。更に、図中では省略してあるが、パルスモータやタイミングベルトなどを介して矢印の方向に回転するようになっている。この丸い、略円筒形状のドラム４１の外周には大判のＥＬシート３０が巻き付けて固定してある。本実施形態における固定方法は、ドラム４１の外周面に複数の小穴、即ち、吸引穴を所定の位置に設け、ドラムの内部を負圧にすることによってＥＬシート３０を吸着固定する方法を取っている。即ち、真空吸着方法を取っている。
【００３９】
第１の切断装置５０は、刃物台５１と複数のカッターホルダー５２と複数の第１のカッター５３などが主要構成部品になって構成されている。第１のカッター５３は、本実施形態では、ナイフを用いているが、このカッター５３はカッターホルダー５２に固定される。そして、カッター５３を取り付けた複数のカッターホルダー５２が刃物台５１に固定されるようになっている。この刃物台５１及びカッターホルダー５２はドラム４１の中心軸に向かって設けられており、カッター５３が回転するドラム４１の外周に対して直角に当たるようになっている。また、刃物台５１はエアーシリンダーなどの移動手段を介して、図中矢印で示した如く、ドラム４１に向かって前進したり、後退したりするようになっている。複数（図中では３個）のカッターホルダー５２は刃物台５１に固定されるが、自由に固定位置が調整できるようになっていて、大判のＥＬシート３０の切断線３３ｂの位置に合わせてこのカッターホルダー５２の取付位置を決めている。図に示すように、カッターホルダー５２に第１のカッター５３を取り付けた刃物台５１を、大判のＥＬシート３０を巻き付けた回転するドラム４１に向かって前進させていくと、第１のカッター５３が切断線３３ｂの部分に接触し、そして、切断線３３ｂの部分で切断する。第１のカッター５３がＥＬシート３０を切断したとき、第１のカッター５３がそれ以上前進しないように刃物台５１の近くにストッパーが設けられていて、そのストッパーで刃物台５１の前進が止まる。切断後は刃物台５１は後退して所定の位置で停止する。尚、ドラム４１の回転、刃物台５１の前進、後退、停止などの関連した動作は駆動制御装置の情報指令に基づいて行われる。
【００４０】
図３は第１のカッター５３の取り付け部分の拡大図を示したものである。切断回数が多くなってくるとナイフの刃先が摩耗して切れ味が悪くなってくる。ナイフは、回転しているＥＬシート３０を切断するので、その使用する刃先部分は極一部分である。従って、ナイフのＥＬシート３０との接触する刃先部分の位置を少し変えてやれば、切れ味の良い刃先部分で切断することができる。図３に示すように、カッター５３に長穴窓５３ｂを設け、カッターホルダー５２に２本のガイドピン５２ａを設け、ガイドピン５２ａに長穴窓５３ｂを係合して取り付け、カッター５３が上下に移動できるようにすることによって、刃先５３ａの使用部分を変えることができる。使用部分の刃先の摩耗の度合いに応じて刃先位置を変え、全体的に切れ味が悪くなった状態の時にカッター５３を研磨する方法を取れば、研磨回数を減らすことができる。
【００４１】
また、カッター５３でドラム４１の外周に巻き付けたＥＬシート３０を切断するとき、刃先がドラム４１の外周面に接触する。そして、このことによりドラム４１の外周面に傷が発生したり、カッター５３の刃先の切れ味が悪くなったりする。これを防止するために、図４に示すように、ＥＬシート３０の裏面にカッターマット３５を貼付けている。このカッターマット３５は切断するときにのみ使用するので、切断前に粘着剤などで貼付けて、ＥＬシート３０を一個一個に切断した後に剥がすようにすれば良い。このカッターマット３５は比較的柔らかく弾力性のあるもので形成される。尚、カッターマットはドラム４１の外周面に貼付けて用いることもできる。この場合は、ＥＬシート３０に貼付ける必要もない。カッターマットをドラム４１の外周面に貼付けて用いる場合は、ドラム４１の外周面に設けた吸引穴を塞がないようにする必要があるので、小穴の位置に合わせてカッターマットに穴をあけて使用する。粘着剤などでドラム４１の外周面に貼付けても良いし、バンドなどで固定しても良い。また、カッターマットの傷の度合いを見ながら時々交換するようにすると良い。このように、カッターマットを用いるとカッター５３が著しく摩耗することもなく長持ちする。
【００４２】
本実施形態の場合、カッター５３にナイフを用いたが、特にナイフに限定するものではない。回転刃のあるカッターでも良い。カッターを回転させながらＥＬシート３０を切断する。この場合には、モータなどを取り付けてカッター５３をモータで回転させる機構を採用する。
【００４３】
第１の切断装置５０は、複数のカッターが取り付けられるようになっており、図１に示すＥＬシート３０の切断線３３ｂの部位を全て一度に切断する。非常に短時間で切断ができる。更に、複数のカッターを使用するのでカッターの摩耗が著しく少ない。
【００４４】
次に、図中、ドラム４１の左横には第２の切断装置６０が配置されている。この第２の切断装置６０は、刃物台６１、カッターホルダー６２、第２のカッター６３などが主要構成部品となって構成されている。ここで、第２のカッター６３を取付けたカッターホルダー５２は刃物台６１に取付けられて、刃物台６１の図中ドラム４１に面した側面６１ａに沿って矢印の方向に移動するようになっている。この動きにでもってカッター６３でＥＬシート３０の切断線３３ａ部分の方向の切断を行うようになっている。カッターホルダー６２の移動はステップモータとタイミングベルトなどの装置を刃物台６１及びカッターホルダー６２の部分に取り付けることによってできる。また、刃物台６１及びカッターホルダー６２はドラム４１の中心軸に向かって取付けられている。また、刃物台６３は、図中矢印方向に、即ち、ドラム４１に向かって前進したり後退したりの移動ができるようになっている。この移動は図示していないエアーシリンダーなどによって行う。
【００４５】
刃物台６１の移動で第２のカッター６３が所定の位置まで前進する。そして、第２のカッター６３を取付けたカッターホルダー６２が刃物台６１に沿って矢印方向に動いて、停止状態にあるＥＬシート３０の切断線３３ａの部分を第２のカッター６３で切断する。切断後は、刃物台６１が元の位置にまで後退して第２のカッター６３が後退し、更に、第２のカッター６３を取付けたカッターホルダー６２が元の位置にまで動いて第２のカッター６３が元の位置に戻る。一方、切断後、刃物台６１が元の位置にまで移動して第２のカッター６３が後退したときに、ドラム４１が回転して次の切断線３３ａが切断する位置の所にきて停止する。この刃物台６１の移動や停止、カッターホルダー６２の移動や停止、ドラム４１の回転や停止などの関連した一連の動作は駆動制御装置やパルスモータ、タイミングベルトの駆動などによって制御されて行われる。
【００４６】
第２のカッター６３は、本実施形態ではナイフを用いたが、特にナイフに限定されるものではない。回転刃の持ったカッターで切断しても良く、また、長刃を持ったナイフを用いて単なる押し当て方法で切断する機構の切断装置であっても良いものである。
【００４７】
このように、第２の切断装置６０を配設し、ＥＬシート３０の切断線３３ａ部分の切断を行うことによって一個一個のＥＬシート３２が得られる状態に切断される。ＥＬシート３０にカッターマットを貼付けて切断した場合には、負圧吸着を解除して、カッターマットが貼付いた状態でＥＬシート３０をドラム４１から取り外し、一個一個のＥＬシート３２をカッターマットから剥がすことによって一個一個のＥＬシート３２が得られる。また、カッターマットをドラム４１の外周面に貼付けた場合には、負圧吸着を解除するだけで一個一個のＥＬシート３２が得られる。
【００４８】
以上述べた切断装置、切断方法を用いれば大判のＥＬシートをドラムに巻き付けた状態で一個一個のＥＬシートに切断することができる。切断時間を短くできるので切断コストを安くすることができる。また、カッターの研磨回数も減らすことができる。また、切断に広いスペースも要らない。
【００４９】
以上述べた切断装置では、ドラム４１の外周にＥＬシート３０を一周以上に巻き付けすることはできない。一周以下の範囲で巻き付ける分においては余裕のある限り何枚ものＥＬシート３０を巻き付けて切断することができる。もし、一周に満たないでドラム４１に設けた吸引穴が現れるようであれば吸引穴を塞いで使用するようにする。
【００５０】
次に、本発明の第２実施形態に係るパターン画像を複数整列させたシートの切断方法及びその切断装置について説明する。図５は本発明の第２実施形態に係るパターン画像を複数整列させたシートの切断方法及びその切断装置について説明する説明図を示している。この切断装置は外周が丸いローラ８１を備えた回転装置８０と、ローラ８１の右横に配設した第１の切断装置５０と、図示はしていないがこれらの装置を駆動制御する駆動制御装置などからなる。
【００５１】
ここで、第１の切断装置５０は前述した第１の切断装置と全く同じ装置を使用している。従って、その詳細説明は省略する。回転装置８０は外周が丸い略円筒形状のローラ８１と、ローラ８１を回転させる主軸８５と、主軸８５を保持してローラ８１を支える脚８７などが主要構成部品となって構成されている。また、このローラ８１は図示しないモータやベルトなどによって回転するようになっている。また、このローラ８１の丸い外周面には前述の第１実施形態で述べたカッターマットが貼付けられている。
【００５２】
上記のローラ８１の外周に大判のＥＬシート３０が一周以上に渡って巻き付けられており、図中ではその外周４カ所、切断線３３ｂ部分を外した位置でゴムバンド９０で締め付けられて固定されている。ここでのゴムバンド９０はＥＬシート３０をローラ８１に固定する固定装置の役割を果たしている。切断線３３ｂ部分での切断方法は、前述の第１実施形態と同じ方法を取り、第１のカッター５３をローラ８１に近づけることによって切断する。
【００５３】
以上の切断装置の下では、大判のＥＬシート３０を一度に複数の短冊状のシートに切断する。切断後ゴムバンド９０を外して複数の短冊状のシートを得る。更に、この短冊状のシートから一個一個のＥＬシート３２を得るには、例えば、押し切りのような切断装置で一個一個に切断する。少なくとも複数の短冊状のシートが一回の切断作業で得られるので切断時間が短縮できて、切断コストは安くなる。
【００５４】
本実施の形態では回転装置の回転体にローラを用いたが、略円筒形を成す回転体であれば回転装置として使用するすることができる。また、固定装置としてゴムバンドを用いたが、締め付けが強固にできて、ＥＬシートに傷などが付かないベルトや紐などで良いものである。
【産業上の利用可能性】
【００５５】
以上、ＥＬのシートを例に取って詳細に説明した。時計用に使われるソーラセルについても全く同様に、複数個整列させた大判のシートから個々のシートに切断して使用する。従来例で上げられた写真プリントのシートについても全く同様に適応できる。また、絵画などを複数個並べたシールであるとか、電極パターンなどを複数個形成したフィルムなども適用できる。
【図面の簡単な説明】
【００５６】
【図１】本発明の切断方法を説明するに用いるパターン又は画像を複数整列させたシート、一例として、ＥＬ（エレクトロルミネッセンス）シートの平面図である。
【図２】本発明の第１実施形態に係るパターン又は画像を複数整列させたシートの切断方法及びその切断装置の説明図である。
【図３】図２におけるカッター取り付け部分の拡大図である。
【図４】図２におけるシートにカッターマットを貼り付けた部分拡大図である。
【図５】本発明の第２実施形態に係るパターン又は画像を複数整列させたシートの切断方法及びその切断装置の説明図である。
【図６】パターン又は画像を複数整列されたシートの切断方法を示す説明図である。
【図７】特許文献１に示された複数の写真プリントを含む単一のシートから個々のプリントを切断する切断装置の概略平面図である。
【図８】図７における単一シートの第１列目を切断した段階を示す概略平面図である。
【図９】図７における単一シートの第１列目の第１個目を切断した段階を示す概略平面図である。
【符号の説明】
【００５７】
３０    大判のＥＬシート
３１    ＥＬ
３２    単個のＥＬシート
３３ａ、３３ｂ    切断線
３５    カッターマット
４０    回転装置
４１    ドラム
４５、８５    主軸
４７、８７    脚
５０    第１の切断装置
５１、６１    刃物台
５２、６２    カッターホルダー
５２ａ  ガイドピン
５３    第１のカッター
５３ａ  刃先
５３ｂ  長穴窓
６０    第２の切断装置
６３    第２のカッター
８０    回転装置
８１    ローラ
【図１】
2005131717.tif 000003
【図２】
2005131717.tif 000004
【図３】
2005131717.tif 000005
【図４】
2005131717.tif 000006
【図５】
2005131717.tif 000007
【図６】
2005131717.tif 000008
【図７】
2005131717.tif 000009
【図８】
2005131717.tif 000010
【図９】
2005131717.tif 000011